(57)【要約】【課題】  起立壁部とベース部の継ぎ目に水やゴミなどの異物が入り込み難い仕切り部材を提供する。【解決手段】  床面とパーティションの間に設置される仕切り部材であって、前記床面に取り付けられるベース部２と、前記ベース部２の上方に立ち上げられる起立壁部３と、を有し、前記起立壁部３が、前記ベース部２との間に継ぎ目５を有してベース部２に取り付けられており、前記継ぎ目５の始端５１が前記ベース部２の奥行き方向に延在されており、前記起立壁部３及びベース部２の少なくとも一方には、前記継ぎ目５の始端５１を覆う被さり部４が設けられている。【選択図】  図６
2018062746.tif 000002
【特許請求の範囲】
【請求項１】
床面とパーティションの間に設置される仕切り部材であって、
前記床面に取り付けられるベース部と、前記ベース部の上方に立ち上げられる起立壁部と、を有し、
前記起立壁部が、前記ベース部との間に継ぎ目を有してベース部に取り付けられており、
前記継ぎ目の始端が前記ベース部の奥行き方向に延在されており、
前記起立壁部及びベース部の少なくとも一方には、前記継ぎ目の始端を覆う被さり部が設けられている、仕切り部材。
【請求項２】
床面とパーティションの間に設置される仕切り部材であって、
前記床面に取り付けられるベース部と、前記ベース部の上方に立ち上げられる起立壁部と、を有し、
前記起立壁部が、前記ベース部の上方に立ち上げられた下壁部と、前記下壁部の上方に立ち上げられた上壁部と、を有し、前記上壁部が前記下壁部との間に継ぎ目を有して前記下壁部に取り付けられており、
前記継ぎ目の始端が前記ベース部の奥行き方向に延在されており、
前記起立壁部及びベース部の少なくとも一方には、前記継ぎ目の始端を覆う被さり部が設けられている、仕切り部材。
【請求項３】
前記継ぎ目の始端が、前記ベース部の奥行き方向に延在されており、
前記被さり部が、前記起立壁部の側壁外面からベース部に向かって斜め下に傾斜して突設されている、請求項１または２に記載の仕切り部材。
【請求項４】
前記被さり部の少なくとも一部分が前記ベース部の上面に当接されている、請求項１乃至３のいずれか一項に記載の仕切り部材。
【請求項５】
床面と、床面の上方に間隙を有して設置されたパーティションと、前記間隙に介在され且つ前記床面上に前記ベース部が固定された請求項１乃至４の何れか一項の仕切り部材と、を有する、床面仕切り構造。
【発明の詳細な説明】
【技術分野】
【０００１】
本発明は、マンションやアパートなどの集合住宅、オフィスビル、商業施設ビルなどの集合建築物の、ベランダや共用廊下などの床面とパーティションの間に設置される仕切り部材などに関する。
【背景技術】
【０００２】
マンションやアパートなどの集合住宅、オフィスビル、商業施設ビルなどの集合建築物は、通常、隣接する部屋が一定の区画ごとに壁で仕切られている。また、集合建築物のベランダや共用廊下などの床面は、部屋の区画と一体的に区画されている場合が多い。そのような床面を区画ごとに区切るため、その境界部にパーティション（いわゆる仕切り板）が設置されることがある。前記パーティションは、通常時には、防音及び目隠しとして機能し、火災発生時等の非常時には、居住者が突き破って互いに隣接する区画へ抜け出ることができるように構成されている。具体的には、パーティションは、上下横枠及び左右縦枠を含む金属製の枠体に、非常時に居住者が破壊し易い材料で形成されたボードが取り付けられて構成されている。かかるパーティションは、その金属製の枠体の下端がベランダなどの床面から離れた状態で、建築物の壁面に取り付けられる。従って、パーティションの下端と床面の間には、間隙が設けられている。このような間隙を有するので、その間隙を通じて、床面を水掃除したときや植物に給水したときの排水、雨水、ゴミなどが入ってくることがある。また、前記間隙が大きい場合には、プライバシー面での懸念も生じる。
【０００３】
特許文献１には、床面に取り付ける水平部と、水平部の全長に亘って立ち上がる立ち上がり部と、を有し、前記水平部の上面に全長に亘って係合溝又は嵌合溝が形成されていると共に、前記立ち上がり部の下端部に係合凸部又は嵌合凸部が形成され、これらの係合溝又は嵌合溝と係合凸部又は嵌合凸部が係合又は嵌合して水平部と立ち上がり部が一体化されている排水仕切り部材が開示されている。かかる排水仕切り部材は、集合住宅の隣接する各住居のバルコニーにおいて、排水が隣接する住居のバルコニーへ流出するのを防止するために設置される。この排水仕切り部材の立ち上がり部の下端部は水平部の上面に係合又は嵌合されているので、必要に応じて、立ち上がり部を水平部から分離でき、また、破損した立ち上がり部の交換も容易に行える。
【０００４】
しかしながら、特許文献１の排水仕切り部材にあっては、係合又は嵌合にて立ち上がり部と水平部が一体化されているので、両部の継ぎ目の始端（継ぎ目の始端は外部に臨み出ている継ぎ目の端部）から継ぎ目内に、生活排水や雨水などの水、粉塵などのゴミが入り込むという問題点がある。始端から継ぎ目内に前記水やゴミが入り込むと、カビや臭気が発生するおそれがある。
【先行技術文献】
【特許文献】
【０００５】
【特許文献１】特開２０１４−２０１９００号公報
【発明の概要】
【発明が解決しようとする課題】
【０００６】
本発明の目的は、起立壁部とベース部の継ぎ目に水やゴミなどの異物が入り込み難い仕切り部材及び床面仕切り構造を提供することである。
【課題を解決するための手段】
【０００７】
本発明の第１の手段は、床面とパーティションの間に設置される仕切り部材であって、前記床面に取り付けられるベース部と、前記ベース部の上方に立ち上げられる起立壁部と、を有し、前記起立壁部が、前記ベース部との間に継ぎ目を有してベース部に取り付けられており、前記継ぎ目の始端が前記ベース部の奥行き方向に延在されており、前記起立壁部及びベース部の少なくとも一方には、前記継ぎ目の始端を覆う被さり部が設けられている。
本発明の第２の手段は、床面とパーティションの間に設置される仕切り部材であって、前記床面に取り付けられるベース部と、前記ベース部の上方に立ち上げられる起立壁部と、を有し、前記起立壁部が、前記ベース部の上方に立ち上げられた下壁部と、前記下壁部の上方に立ち上げられた上壁部と、を有し、前記上壁部が前記下壁部との間に継ぎ目を有して前記下壁部に取り付けられており、前記継ぎ目の始端が前記ベース部の奥行き方向に延在されており、前記起立壁部及びベース部の少なくとも一方には、前記継ぎ目の始端を覆う被さり部が設けられている。
【０００８】
本発明の好ましい仕切り部材は、前記継ぎ目の始端が、前記ベース部の奥行き方向に延在されており、前記被さり部が、前記起立壁部の側壁外面からベース部に向かって斜め下に傾斜して突設されている。
本発明の好ましい仕切り部材は、前記被さり部の少なくとも一部分が前記ベース部に当接されている。
【０００９】
本発明の別の局面によれば、床面仕切り構造を提供する。
本発明の床面仕切り構造は、床面と、床面の上方に間隙を有して設置されたパーティションと、前記間隙に介在され且つ前記床面上に前記ベース部が固定された上記何れかの仕切り部材と、を有する。
【発明の効果】
【００１０】
本発明の仕切り部材は、ベース部と起立壁部との継ぎ目の始端が被さり部にて覆われているので、仕切り部材を床面上に施工した後、継ぎ目内に水やゴミなどの異物が進入することを抑制できる。このため、継ぎ目にカビなどが発生し難く、長期間綺麗な状態で仕切り部材を使用できる。
【図面の簡単な説明】
【００１１】
【図１】第１実施形態の仕切り部材の斜視図。
【図２】同仕切り部材の正面図。
【図３】同仕切り部材の左側面図。
【図４】同仕切り部材の上面図。
【図５】同仕切り部材の下面図。
【図６】同仕切り部材の起立壁部とベース部の取り付け部分の一部拡大正面図。
【図７】同仕切り部材の分解図であって、起立壁部及びベース部の一部拡大正面図。
【図８】同仕切り部材の起立壁部の一部拡大正面図。
【図９】同仕切り部材の組み立て途中を示す斜視図。
【図１０】仕切り部材を床面に施工した床面仕切り構造を示す斜視図。
【図１１】図１０の矢印ＸＩ方向から見た左側面図。ただし、床面などの建築物を断面で示している。
【図１２】図１１のＸＩＩ−ＸＩＩ線で切断した端面図。
【図１３】仕切り部材の起立壁部の高さを低くした後の左側面図。
【図１４】第２実施形態の仕切り部材の斜視図。
【図１５】同仕切り部材の正面図。
【図１６】同仕切り部材を床面に施工した床面仕切り構造を示す端面図（同床面仕切り構造を、図１１のＸＩＩ−ＸＩＩ線と同様な箇所で切断した端面図）。
【図１７】第３実施形態の仕切り部材の斜視図。
【図１８】同仕切り部材の正面図。
【図１９】同仕切り部材の起立壁部の上壁部と下壁部の取り付け部分の一部拡大正面図。
【図２０】同仕切り部材の分解図であって、上壁部及び下壁部の一部拡大正面図。
【図２１】第３実施形態の仕切り部材の正面図。
【発明を実施するための形態】
【００１２】
以下、本発明について、適宜図面を参照しつつ説明する。
本明細書において、「上面視」は、部材又は部分を上方から鉛直方向に見ることをいい、「上面視の形状」は、前記上方から見たときの部材又は部分の形状をいう。また、「正面視」は、部材又は部分を１つの側方から奥行き方向に見ることをいい、「正面視の形状」は、前記側方から見たときの部材又は部分の形状をいう。
本明細書において、「〜」で表される数値範囲は、「〜」の前後の数値を下限値及び上限値として含む数値範囲を意味する。複数の下限値と複数の上限値が別個に記載されている場合、任意の下限値と任意の上限値を選択し、「〜」で結んだ範囲とすることができるものとする。
【００１３】
本発明の仕切り部材は、床面に取り付けられるベース部と、前記ベース部の上方に立ち上げられる起立壁部と、を有する。
１つの実施形態では、前記起立壁部は、前記ベース部との間に継ぎ目を有してベース部に取り付けられている。もう１つの実施形態では、前記起立壁部は、前記ベース部の上方に立ち上げられた下壁部と、前記下壁部の上方に立ち上げられた上壁部と、を有し、前記上壁部が前記下壁部との間に継ぎ目を有して前記下壁部に取り付けられている。
そして、前記継ぎ目の始端が前記ベース部の長さ方向に延在され、前記起立壁部及びベース部の少なくとも一方には、前記継ぎ目の始端を覆う被さり部が設けられている。
本発明の仕切り部材は、水やゴミなどの異物の進入口となる継ぎ目の始端が被さり部によって覆われているので、前記異物が継ぎ目に入り込むことを抑制できる。
以下、本発明の様々な実施形態を順に説明する。
【００１４】
［第１実施形態］
第１実施形態は、起立壁部が前記ベース部との間に継ぎ目を有してベース部に取り付けられており、その継ぎ目の始端を覆う被さり部が設けられている仕切り部材に関する。
また、前記被さり部の少なくとも一部分がベース部の上面に当接されている仕切り部材に関する。
図１は、第１実施形態の仕切り部材の斜視図であり、図２は、その正面図、図３は、その左側面図、図４は、その上面図（上方から見た平面図）、図５は、その下面図（下方から見た底面図）、図６は、仕切り部材の取り付け部分を拡大した正面図であり、図７は、起立壁部をベース部から取り外した状態における起立壁部の被保持部とベース部の保持部を拡大した正面図であり、図８は、起立壁部の一部分を拡大した正面図である。右側面図は、左側面図と同様である。また、図３乃至図５において、形状が変わらない中間部分を省略している。
図１乃至図７において、仕切り部材１は、ベース部２と、ベース部２から上方に立ち上げられた起立壁部３と、を有する。ベース部２と起立壁部３は、独立した部材であり、起立壁部３は着脱可能な状態でベース部２に取り付けられている。
ベース部２及び起立壁部３の少なくとも一方には、被さり部４が設けられている。被さり部４は、ベース部２又は起立壁部３と一体的に形成されていてもよく、或いは、独立して形成され且つベース部２又は起立壁部３に着脱可能に取り付けられていてもよい。
【００１５】
ベース部２は、仕切り部材１を床面に取り付ける際の床面に対する固定部である。
ベース部２は、例えば、図４に示すように、上面視略矩形状である。本明細書において、「略」は、本発明の属する技術分野において許容される形状を意味する。上面視略矩形状は、略正方形状又は略長方形状をいう。略正方形状又は略長方形状などの略多角形状の「略」は、例えば、角部が面取りされている形状、辺の一部が僅かに膨らむ又は窪んでいる形状、辺が若干湾曲している形状などが含まれる。
【００１６】
図２において、ベース部２の幅２Ｗは、特に限定されないが、余りに小さいと床面に対する接着面積が小さくなり、余りに大きいと仕切り部材１の取り扱い性が低下する。かかる観点から、ベース部２の幅２Ｗは、例えば、３０ｍｍ〜３００ｍｍであり、好ましくは５０ｍｍ〜２００ｍｍであり、より好ましくは７０ｍｍ〜１８０ｍｍである。ベース部２の幅２Ｗが前記範囲であることにより、仕切り部材１を床面に施工し易くなり、特に、パーティションの下方への施工性に優れた仕切り部材１を構成できる。
図３において、ベース部２の奥行き２Ｌは、特に限定されず、施工場所の奥行きに応じて適宜設定でき、例えば、１０００ｍｍ〜２０００ｍｍである。
ベース部２の厚みは、特に限定されないが、余りに小さいと仕切り部材１の取り扱い性が低下し、余りに大きいと奥行き方向の長さ調整の際にベース部２を切断することが困難となる上、材料コストが増加する。かかる観点から、ベース部２の厚みは、１ｍｍ〜５ｍｍであり、好ましくは１．５ｍｍ〜４ｍｍである。なお、厚みが幅方向又は奥行き方向で均等でない場合には、前記ベース部２の厚みは、そのうちの最大厚みに相当する。
なお、図示例では、ベース部２の幅２Ｗは１００ｍｍで、奥行き２Ｌは１４００ｍｍで、厚みは１．５ｍｍである。
【００１７】
図１、図２、図６及び図７に示すように、ベース部２には、起立壁部３の端部を保持する保持部２１が設けられている。
前記保持部２１は、ベース部２の幅方向略中央部に設けられている。もっとも、保持部２１がベース部２の幅方向左側寄り又は右側寄りに設けられていてもよい。
保持部２１は、ベース部２の奥行き方向全体に亘って形成されていてもよく、或いは、ベース部２の奥行き方向の一部分に設けられていてもよい。起立壁部３を安定的に起立させた状態で保持できることから、保持部２１は、図示例のように、ベース部２の奥行き方向全体に亘って形成されていることが好ましい。
本実施形態の保持部２１は、凹部からなる。本実施形態の凹部は、ベース部２の奥行き方向に延びる長状の凹部であり、好ましくは、上述のように、ベース部２の奥行き方向全体に亘って延在されている。
前記凹部（保持部２１）は、正面視において、入口部２１１と、前記入口部２１１に連通した係合溝部２１２と、を有し、入口部２１１の幅が係合溝部２１２の幅よりも小さく形成されている。図示例の凹部は、例えば、正面視略逆Ｔ字状であり、奥行き方向においてその略逆Ｔ字状の形状が変わらない。
【００１８】
前記凹部は、ベース部２の内部に形成された壁内面で画成されている。
具体的には、図７を参照して、ベース部２の内部には、ベース部２の上面２ａに連続する左右一対の側壁内面２ｂ，２ｂが形成されている。この側壁内面２ｂを、ベース第１側壁内面という。前記左右一対のベース第１側壁内面２ｂ，２ｂは、それぞれ上下方向に延び、間隔を開けて対向配置されている。前記一対のベース第１側壁内面２ｂ，２ｂの間の空間が、前記入口部２１１である。また、ベース部２の内部には、前記左右一対のベース第１側壁内面２ｂ，２ｂよりも外側に位置する左右一対の側壁内面２ｃ，２ｃが形成されている。この側壁内面２ｃを、ベース第２側壁内面２ｃ，２ｃという。前記左右一対のベース第２側壁内面２ｃ，２ｃは、それぞれ上下方向に延び、間隔を開けて対向して配置されている。ベース部２の内部には、前記一対のベース第２側壁内面２ｃ，２ｃの下端部に連続して、ベース下壁内面２ｄが形成されている。また、ベース部２の内部には、前記一対のベース第１側壁内面２ｂ，２ｂの端部と一対のベース第２側壁内面２ｃ，２ｃの端部の間に連続して、ベース上壁内面２ｅ，２ｅが形成されている。かかるベース上壁内面２ｅ、ベース第２側壁内面２ｃ及びベース下壁内面２ｄで囲われた空間が、前記係合溝部２１２である。
【００１９】
ベース部２の下面は、凹凸面とされていてもよいが、図示例では、ベース部２の下面は、水平面と略平行な平滑な面に形成されている。
なお、ベース部２の下面を凹凸面に形成することにより、仕切り部材１の施工時に接着剤を用いてベース部２を床面９１に接着する際に、接着剤との接触面積が増し、強固にベース部２を床面９１に取り付けることができる。
また、ベース部２の上面２ａは、凹凸面とされていてもよいが、ベース部２の上面２ａに水やゴミなどの異物が溜まり難くなることから、図示例のように、平滑な面とされていることが好ましい。さらに、ベース部２の上面２ａは、ベース部２の下面と略平行な平坦面とされていてもよいが、異物が溜まり難くなることから、図示例のように、平滑な傾斜面とされていることが好ましい。この場合、ベース部２の上面２ａは、保持部を除いて、斜め下に傾斜した傾斜面とされている。
なお、ベース部２の上面２ａに凹凸を形成する場合、奥行き方向に水が流れるように、奥行き方向に凹部が連続する長状凹部（図示せず）を形成することが好ましい。かかる長状凹部は、排水溝として機能しうる。
ベース部２の上面２ａの端部は、前記ベース第１側壁内面２ｂ，２ｂの端部に連続している。ベース部２の上面２ａは、その端部から幅方向左側及び右側に向かうに従って下方に傾斜した傾斜面とされている。従って、ベース部２の上面２ａは、図２に示す正面視において山型屋根状に形成されている。また、ベース部２の幅方向左側の側縁２ｆ及び右側の側縁２ｆは、何れも尖状に形成されている。
また、図１及び図２において、ベース部２の幅方向左側の側部及び右側の側部の下面には、それぞれ切り欠き部２２が形成されている。この切り欠き部２２は、仕切り部材１を施工した際の、床シートの納まり部分となる。かかる切り欠き部２２により、床シートの端部が隠された美麗な外観の床面仕切り構造を構築でき、さらに、床シートの端部から水が浸入することを抑制できる。
【００２０】
図１、図２、図６及び図７などに示すように起立壁部３は、ベース部２の保持部２１から上方に立ち上げられている。
起立壁部３は、全体的に略板状であり、ベース部２の下面に対して略直交するように立ち上げられている。
起立壁部３は、ベース部２の保持部２１に係止される被保持部３１と、施工時にパーティションの下方に配置される板部３２と、を有する。被保持部３１は、前記板部３２の下方に一体的に形成されている。
被保持部３１は、ベース部２の保持部２１に対応して設けられている。ベース部２の保持部２１が奥行き方向全体に亘って設けられている本実施形態にあっては、被保持部３１も起立壁部３の奥行き方向全体に亘って設けられている。
ベース部２の保持部２１が凹部からなる本実施形態においては、起立壁部３の被保持部３１は、その凹部に挿入脱可能で且つ凹部に係止可能な突部からなる。
前記突部（被保持部３１）は、奥行き方向に延びる長状の突部である。図７を参照して、前記突部は、正面視において、ベース部２の入口部２１１と略同幅又はそれよりも少し幅狭の首部３１１と、ベース部２の係合溝部２１２と略同幅又はそれよりも少し幅狭の肥大部３１２と、を有し、首部３１１の幅が肥大部３１２の幅よりも小さく形成されている。図示例の突部は、例えば、正面視略逆Ｔ字状であり、奥行き方向においてその形状が変わらない。起立壁部３をベース部２に取り付けた状態において、突部（被保持部３１）の外面は、凹部（保持部２１）を画成する壁内面に略接する。
【００２１】
起立壁部３の突部（被保持部３１）をベース部２の凹部（保持部２１）に挿入し、図９に示すように、起立壁部３を奥行き方向にスライドさせることにより、起立壁部３がベース部２に係止され、起立壁部３がベース部２の上方に立ち上がった状態で保持される。
このように起立壁部３がベース部２に取り付けられる仕切り部材１にあっては、起立壁部３の突部の外面とベース部２の凹部を構成する壁内面との間に、継ぎ目５が存在する。つまり、ベース部２の保持部２１と起立壁部３の被保持部３１の境界に生じる隙間が継ぎ目５である。この継ぎ目５は、突部の外面（及び凹部を構成する壁内面）に沿って存在している。
前記継ぎ目５は、図２及び図６に示す正面視において閉鎖環状ではなく、正面視において有端である。本実施形態では、継ぎ目５は２つの端部を有し、その２つの端部が外部に臨み出ている。この継ぎ目５の端部を「始端」という。本実施形態では、継ぎ目５の始端５１は、上面視にてベース部の奥行き方向にそれぞれ延在されている。なお、継ぎ目５の始端５１が上面視で奥行き方向に延在しているとは、板部３２及び後述する被さり部４が形成されていないと仮定して仕切り部材１を図４に示す上方から見たときに、奥行き方向に筋状の線（すなわち継ぎ目５の始端５１）を視認できる状態をいう。
【００２２】
本発明においては、前記継ぎ目５の始端５１を覆う被さり部４が設けられている。被さり部４を設けることにより、前記継ぎ目５の始端５１が塞がれる。
被さり部４は、継ぎ目５の２つの始端５１を覆うように、左右一対設けられている。被さり部４は、継ぎ目５の始端５１を覆うことができるような平面視形状に形成されている。
被さり部４は、起立壁部３に設けられていてもよく、或いは、ベース部２に設けられていてもよく、或いは、起立壁部３及びベース部２にそれぞれ設けられていてもよい。
一般に、水やゴミなどの異物は上方から下方に向かって移動するので、ベース部２の上方に立ち上げられている起立壁部３に、被さり部４が設けられていることが好ましい。
本実施形態では、左右一対の被さり部４が、起立壁部３に設けられている。被さり部４を起立壁部３と別体で形成し、被さり部４が起立壁部３に着脱可能に取り付けられて設けられていてもよいが、被さり部４と起立壁部３との間の継ぎ目を生じないようにするために、図示例のように、被さり部４は起立壁部３と一体的に形成されていることが好ましい。
例えば、左側の被さり部４は、起立壁部３の板部３２の左側の側壁外面３２ａから一体的に突設されており、右側の被さり部４は、起立壁部３の板部３２の右側の側壁外面３２ａから一体的に突設されている。各被さり部４，４は、奥行き方向全体に亘って延びる板状であり、その板状の被さり部４の基部４２が板部３２の左側及び右側の側壁外面３２ａに一体的に形成されている。被さり部４は、板部３２の上下方向の何れの箇所に形成されていてもよいが、図示例のように、継ぎ目５の始端５１の直上に被さり部４の下面が位置するように形成されていることが好ましい。なお、図７において、被さり部４と起立壁部３を視覚的に判り易く区別できるようにするため、被さり部４に無数のドットを付加している。
左側及び右側の被さり部４，４は、板部３２の側壁外面３２ａからベース部２の上面２ａに向けて延設されている。この場合、左側の被さり部４は、起立壁部３の側壁外面３２ａからベース部２に向かって左斜め下に傾斜して延設され、右側の被さり部４は、起立壁部３の側壁外面３２ａからベース部２に向かって右斜め下に傾斜して延設されている。
【００２３】
また、被さり部４の厚みは、全体的に均一でもよく、或いは、不均等でもよい。図示例では、被さり部４は、側壁外面３２ａに連結されている基部４２において最も厚く、先端部に向かう従って薄肉状に形成されている。被さり部４がその先端部４１に向かって薄肉状に形成されていることにより、基部４２の近傍において被さり部４が曲がり難くなり、被さり部４にて継ぎ目５の始端５１を良好に塞ぐことができ、一方で、被さり部４の先端部４１の近傍が柔軟になって曲がり易くなり、被さり部４の先端部４１がベース部２の上面２ａに密着し易くなる。
各被さり部４，４の厚みは、特に限定されないが、余りに大きいと柔軟性が低下し、余りに小さいと捲れ上がるおそれがある。かかる観点から、各被さり部４，４の厚みは、それぞれ独立して、１ｍｍ〜５ｍｍであり、好ましくは２ｍｍ〜３ｍｍである。ただし、前記被さり部４の厚みは、最大厚みをいう。
被さり部４は、少なくとも一部分が前記ベース部２の上面２ａに当接されている。被さり部４は、その幅方向中途部のみが前記ベース部２の上面２ａに当接され且つ中途部以外の下面が前記ベース部２の上面２ａから離れていてもよく、或いは、その先端部４１が前記ベース部２の上面２ａに当接され且つ先端部以外の下面が前記ベース部２の上面２ａから離れていてもよく、或いは、その先端部４１から幅方向中途部までの下面が前記ベース部２の上面２ａに当接され且つ前記幅方向中途部から基部４２までの下面が前記ベース部２の上面２ａから離れていてもよい。
好ましくは、被さり部４は、少なくとも先端部４１が前記ベース部２の上面２ａに当接され、より好ましくは、被さり部４は、図示のように、その先端部４１を含む下面全体がベース部２の上面２ａに当接されている。
被さり部４の先端部４１は、円弧状、四角状などに形成されていてもよいが、被さり部４の先端部４１とベース部２の上面２ａとの間に段差が生じないことから、被さり部４の先端部４１は、図示例のように尖状（鋭角状）に形成されていることが好ましい。
なお、左側の被さり部４の先端部４１は、幅方向左側の側端であり、右側の被さり部４の先端部４１は、幅方向右側の側端である。
【００２４】
各被さり部４，４の上面は、凹凸面とされていてもよいが、被さり部４の上面に水やゴミなどの異物が溜まり難くなることから、図示例のように、平滑な面とされていることが好ましい。さらに、各被さり部４，４の上面は、ベース部２の下面と略平行な平坦面とされていてもよいが、異物が溜まり難くなることから、図示例のように、平滑な傾斜面とされていることが好ましい。すなわち、各被さり部４，４の上面は、その先端部４１に向かって下方に傾斜した傾斜面とされている。
各被さり部４，４の下面は、凹凸面とされていてもよいが、被さり部４の下面とベース部２の上面２ａの間に隙間を生じ難くなることから、図示例のように、平滑な面とされていることが好ましい。また、各被さり部４，４の下面は、全体的にベース部２の上面２ａに当接されるように形成されていることが好ましい。つまり、各被さり部４，４の下面の傾斜角は、ベース部２の上面２ａの傾斜角と略同じに設定されている。
【００２５】
起立壁部３の板部３２は、ベース部２の奥行き方向全体に亘って延在されている。従って、起立壁部３の板部３２の奥行きは、ベース部２の奥行き２Ｌと等しい。
図８において、起立壁部３の板部３２の幅３２Ｗは、特に限定されないが、余りに小さいと後述する分断用薄肉部において充分な強度を得るだけの厚みを確保できずに折れ曲がるおそれがあり、余りに大きいと奥行き方向の長さ調整をする際に切断することが困難になる。かかる観点から、起立壁部３の板部３２の幅３２Ｗは、１ｍｍ〜１０ｍｍが好ましく、２ｍｍ〜７ｍｍがより好ましい。
本実施形態においては、起立壁部３の板部３２の高さを適宜調整できるので、調整前の起立壁部３の板部３２の高さは、適宜設定できるが、余りに小さいと高さ調整の範囲が小さくなり、余りに大きいと仕切り部材１の取り扱い性が低下する。かかる観点から、図２に示すように、調整前の起立壁部３の板部３２の高さ３２Ｈは、例えば、３０ｍｍ〜１５０ｍｍであり、好ましくは、４０ｍｍ〜１００ｍｍである。
なお、図示例では、起立壁部３の板部３２の幅３２Ｗは３ｍｍで、高さ３２Ｈは１００ｍｍである。
【００２６】
起立壁部３の板部３２の左側の側壁外面３２ａ及び右側の側壁外面３２ａには、それぞれ溝部６，６が形成されている。以下、起立壁部３の左側の側壁外面３２ａに形成された溝部６を「左溝部」と、右側の側壁外面３２ａに形成された溝部６を「右溝部」という。
左溝部６及び右溝部６は、起立壁部３の奥行き方向に延設されている。左溝部６及び右溝部６は、それぞれ独立して、起立壁部３の奥行き方向全体に亘って延在されていてもよく、或いは、一部分を除いて起立壁部３の奥行き方向に延在されていてもよい。好ましくは、図示例のように、左溝部６及び右溝部６は、それぞれ起立壁部３の奥行き方向全体に亘って形成される。
左溝部６及び右溝部６の正面視形状は、特に限定されず、図８に示すような、正面視略Ｖ字状のほか、特に図示しないが、正面視略Ｕ字状などでもよい。左溝部６及び右溝部６が略Ｖ字状の溝部であることにより、その尖った溝先端から起立壁部３の板部３２を比較的容易に分断できる。一方、左溝部６及び右溝部６が正面視略Ｕ字状の溝部である場合、左溝部６及び右溝部６内に汚れが堆積し難くなる。
左溝部６及び右溝部６は、それぞれの溝先端が互いに対向するように、向かい合って配置されている。この左溝部６と右溝部６で挟まれた部分が、分断用薄肉部６１である。
【００２７】
また、左溝部６及び右溝部６は、それぞれ起立壁部３の板部３２の上下方向において多段に形成されている。左溝部６及び右溝部６は、ベース部２の下面と平行に延設されている。従って、分断用薄肉部６１も、起立壁部３の上下方向に複数並んで形成されており、各分断用薄肉部６１は、ベース部２の下面に対して平行で奥行き方向に延設されている。
図８において、分断用薄肉部６１の幅６１Ｗは、起立壁部３の板部３２の幅３２Ｗよりも小さい。分断用薄肉部６１の幅６１Ｗは、特に限定されないが、余りに小さいと分断用薄肉部６１において折れ曲がるおそれがあり、余りに大きいと、分断用薄肉部６１において起立壁部３を分断し難くなる。かかる観点から、分断用薄肉部６１の幅６１Ｗは、０．５ｍｍ〜３ｍｍが好ましく、１ｍｍ〜２ｍｍがより好ましい。
起立壁部３は、分断用薄肉部６１（左溝部６及び右溝部６）にて、複数の長状板部３３に区画されている。概念的には、起立壁部３は、奥行き方向を長手とする側面視長方形状の複数の長状板部３３を有し、各長状板部３３が分断用薄肉部６１を介して上下に隣接して連結された構造からなる。
長状板部３３の奥行きは、起立壁部３の奥行きに等しい。
【００２８】
図８において、１つ当たりの長状板部３３の高さ３３Ｈは、特に限定されないが、余りに小さいと起立壁部３の高さ調整の段階が過度に多くなり、汚れが堆積し易く、さらに、強度が低下するおそれもある。一方、余りに大きいと、起立壁部３の高さ調整の段階が過度に少なくなり過ぎる。かかる観点から、長状板部３３の高さ３３Ｈは、５ｍｍ〜２０ｍｍが好ましく、７ｍｍ〜１５ｍｍがより好ましい。なお、長状板部３３の高さ３３Ｈは、上下方向における分断用薄肉部６１（左溝部６及び右溝部６）の形成間隔にほぼ等しい。また、複数の長状板部３３の高さ３３Ｈは、全て同じでもよく、或いは、一部の長状板部３３の高さが異なっていてもよく、或いは、全ての長状板部３３の高さが互いに異なっていてもよい。
後述するように、分断用薄肉部６１にて分断することにより、起立壁部３の高さを調整することから、この長状板部３３の高さは、起立壁部３の高さ調整の最小単位となる。つまり、起立壁部３の板部３２の高さは、長状板部３３の高さ刻みで調整できる。例えば、全ての長状板部３３の高さが１０ｍｍである場合、起立壁部３の板部３２の高さは、１０ｍｍ、２０ｍｍ、３０ｍｍ、・・・１０ｍｍ×長状板部の個数、の範囲で短くすることができる。
【００２９】
分断用薄肉部６１（左溝部６及び右溝部６）の形成数は、概ね、起立壁部３の高さ３２Ｈ／長状板部３３の高さ３３Ｈ、で決定できるので、これらの高さを考慮して設定される。
なお、図示例では、分断用薄肉部６１の幅６１Ｗは１ｍｍで、長状板部３３の高さ３３Ｈは、１０ｍｍで、分断用薄肉部６１（左溝部６及び右溝部６）の形成数は、８本である。
【００３０】
ベース部２、起立壁部３及び被さり部４の形成材料は、特に限定されず、軟質樹脂などの軟質材料；硬質樹脂、木材、アルミニウムなどの金属などの硬質材料が挙げられる。成形容易であることから、ベース部２及び被さり部４を含む起立壁部３は合成樹脂で形成することが好ましく、さらに、分断用薄肉部６１にて容易に分断でき、施工性にも優れていることから、ベース部２及び被さり部４を含む起立壁部３は軟質樹脂で形成されていることが好ましい。軟質樹脂としては、塩化ビニル系樹脂、酢酸ビニル系樹脂、アクリル系樹脂などの合成樹脂、各種エラストマーなどが挙げられる。なお、本明細書において、軟質樹脂及び硬質樹脂は、ＪＩＳ  Ｋ６９００（１９９４）のプラスチック−用語に記載の軟質プラスチック及び硬質プラスチックを意味する。
【００３１】
軟質樹脂で形成された仕切り部材１は、柔軟性に優れ、人力で容易に湾曲させることができる。
仕切り部材１（ベース部２及び被さり部４を含む起立壁部３）は、例えば、軟質の塩化ビニル系樹脂で形成される。軟質の塩化ビニル系樹脂の具体的な組成は、特に限定されず、例えば、ポリ塩化ビニル１００重量部に対し、フタル酸エステルなどの可塑剤を４０重量部〜８０重量部、炭酸カルシウムなどの充填剤を２０質量部〜５０質量部、安定剤を１重量部〜５重量部、滑剤を０．５重量部〜３重量部、必要に応じてその他の添加剤を微量含む。前記ポリ塩化ビニルは、例えば、平均重合度が７００〜１２００、好ましくは８００〜１０００のサスペンション塩化ビニルを用いることが好ましい。
また、仕切り部材１の形成材料には、必要に応じて、耐候性改善剤、紫外線吸収剤、防汚剤、抗菌剤、防カビ剤、静電気防止剤などの各種添加物を加えてもよい。或いは、仕切り部材１の上面に、紫外線吸収コーティング、汚れが付着しにくい塗装、抗菌処理、防カビ処理、静電気防止処理などの上面処理を施してもよい。
【００３２】
前記形成材料を押出し成形することにより、ベース部２を形成できる。同様に、前記形成材料を押出し成形することにより、被さり部４を一体的に有する起立壁部３を形成できる。押出し成形品は、通常、非常に長いので、適宜な寸法に裁断される。被さり部４を有する起立壁部３をベース部２に取り付けることにより、仕切り部材１が構成される。
【００３３】
本発明の仕切り部材１は、集合建築物の隣接する区画の床面に施工される。集合建築物としては、マンション、アパートなどの集合住宅、オフィスビル、商業施設ビルなどが挙げられる。集合建築物には、部屋などの多数の区画が含まれているが、隣接する区画を仕切るため、隣接する区画の床面上にパーティションが設置されている。このパーティションは、通常時には、防音及び目隠しとして機能し、火災発生時等の非常時には、居住者が突き破って互いに隣接する区画へ抜け出ることができるように構成されている。具体的には、パーティションは、上下横枠及び左右縦枠を含む金属製の枠体に、非常時に居住者が破壊し易い材料で形成されたボードが取り付けられて構成されている。かかるパーティションは、その金属製の枠体の下端は、床面から離れているため、パーティションの下端と床面の間には、間隙が設けられている。このような間隙を塞ぐためにも、本発明の仕切り部材１が、パーティションの下方に設置される。
【００３４】
図１０乃至図１２は、本発明の仕切り部材１が集合建築物の隣接する区画の床面上に施工された床面仕切り構造を示している。
床面仕切り構造９は、ベランダなどの隣接する区画の床面９１と、前記床面９１の上方に間隙を有して設置されたパーティション９２と、前記間隙に介在され且つ床面９１上に固定された仕切り部材１と、を有する。パーティション９２は、例えば、金属製の枠体９２１と、その枠体９２１に取り付けられたボード９２２と、からなる。
前記床面９１は、例えば、半屋外又は屋外に存在する。かかる床面９１には、その端部に形成された排水溝９３に水を導くため勾配が付けられている。つまり、床面９１は、排水溝９３に向かって徐々に低くなった傾斜面とされている。かかる床面９１の傾斜は、水勾配とも呼ばれており、通常、１／５０以上であり、好ましくは１／５０〜１／４０である。なお、１／５０は、奥行き方向の長さ５０ｍに対して１ｍ下がる勾配を意味し、１／４０は、奥行き方向の長さ４０ｍに対して１ｍ下がる勾配を意味する。
【００３５】
床面９１とパーティション９２の下端９２ｂとの間の間隙は、施工場所に応じて異なっているが、通常、２０ｍｍ〜１５０ｍｍ程度である（図８参照）。なお、図１１及び図１２は、パーティションの上方部を省略している。
パーティション９２は、金属などからなる支持材やステイなどを介して、建築物の壁面９４に固定されている。
仕切り部材１の奥行き方向がパーティション９２の下端と略平行となり且つパーティション９２の延長線上に起立壁部３が略位置するようにして仕切り部材１が配置され、ベース部２が床面９１に固定されている。
【００３６】
前記床面９１とパーティション９２の下端９２ｂとの間隙に合わせて、起立壁部３の高さを調整する。具体的には、任意の分断用薄肉部４２にて起立壁部３を上下に分断し、高さを調整する。
高さ調整後の仕切り部材１のベース部２を床面９１に固定し、ベース部２の両側縁に床シート９５を接合する。
このような方法で施工された床面仕切り構造９は、ベース部２の両側縁に、図１２に示すように、床面９１上に敷設される防水シートなどの床シート９５の端縁がそれぞれ突き合わされる。なお、本実施形態のように、ベース部２の側部に切り欠き部２２が形成されている仕切り部材１にあっては、床シート９５の両側部が切り欠き部２２に納まり、ベース部２の左側の側部及び右側の側部が床シート９５の側部に重ねられる。このようにベース部２の側部が床シート９５の側部に載り上がって重ねられることにより、ベース部２の下面側へ水などが回り込むことを確実に防止できる。なお、床シート９５の側部のカット精度が低く、例えば、床シート９５の側部が歪んでいる場合であっても、その床シート９５の側部がベース部２の側部にて覆われるので、美麗な外観の床面仕切り構造を構築できる。
ベース部２の床面９１に対する固定方法及び床シート９５の床面９１に対する固定方法は、それぞれ独立して、特に限定されないが、一般的には、接着剤９６を用いて固定される。また、必要に応じて、ベース部２の両側縁と床シート９５の側縁の間を、溶接棒９７、シーリング剤又は接着剤によって接合し、両者間の接合強度を高め、水密性を確保してもよい。この接合作業は、施工者が、パーティション９２の下方で行なうこととなるが、前述のように、ベース部２の幅２Ｗが３０ｍｍ〜３００ｍｍであることにより、ベース部２の両側縁と床シート９５の接合箇所がパーティション９２の真下にならず、斜め下に位置するので、良好に接合作業を行える。
【００３７】
前記床面９１とパーティション９２の下端９２ｂとの間隙は、施工場所によって異なっているが、本発明の仕切り部材１は、起立壁部３の板部３２の高さを調整できるため、高さ調整後の起立壁部３Ａにて前記間隙を狭くして略塞いだ状態とした床面仕切り構造９を構築できる。このため、床面９１とパーティション９２の下端９２ｂとの間隙から排水、雨水、ゴミなど進入し難くなり、同時に防音及び目隠しを効果的に担保した床面仕切り構造９を構築できる。
具体的には、本実施形態の仕切り部材１の起立壁部３には、分断用薄肉部６１が奥行き方向に延在されている。この分断用薄肉部６１は、起立壁部３の上下方向において、所望間隔を開けて複数形成されている。分断用薄肉部６１は、起立壁部３の分断用薄肉部６１以外の部分に比して、幅狭であるため、分断し易くなっている。また、左溝部６及び右溝部６は向かい合って形成されているので、分断用薄肉部６１を視認し易く、さらに、綺麗に分断することができる。
例えば、図１３に示すように、任意の分断用薄肉部６１にて起立壁部３を切断することにより、高さが低くなった起立壁部３Ａを有する仕切り部材１が得られる。起立壁部３の切断は、カッターなどの切断具を用いて行ってもよいが、特に、起立壁部３が軟質樹脂から形成されている場合には、起立壁部３は軟らかく、人力で湾曲させながら起立壁部３を分断用薄肉部６１にて分断することもできる。
【００３８】
本発明の仕切り部材１は、ベース部２と起立壁部３の継ぎ目５の始端５１が被さり部４にて覆われているので、仕切り部材１を床面上に施工した後、継ぎ目５内に水やゴミなどの異物が進入することを抑制できる。このため、施工後、継ぎ目５にカビなどが発生し難く、長期間綺麗な状態で使用できる仕切り部材１を提供できる。
また、被さり部４の少なくとも一部分がベース部２の上面２ａに当接されているので、被さり部４が起立壁部３の支えとしても機能する。すなわち、起立壁部３は、別体のベース部２に取り付けられるので、ベース部２に立ち上げられた状態において、起立壁部３の幅方向に比較的大きな力が加わると、起立壁部３が傾く可能性がある。この点、少なくとも一部分が前記ベース部２の上面２ａに当接されている被さり部４を有することにより、清掃ほうきなどが起立壁部３に接触しても、起立壁部３が幅方向へ傾くことを防止できる。特に、被さり部４の下面全体がベース部２の上面２ａに当接されている場合には、前記被さり部４によって起立壁部３が良好に支持されるので好ましい。
【００３９】
本発明は、上記第１実施形態に限られず、本発明の意図する範囲で様々に変更できる。以下、他の実施形態を説明するが、その説明に於いては、主として第１実施形態と異なる構成及び効果について説明し、同様の構成などについては、その説明を省略する場合がある。
【００４０】
［第２実施形態］
第２実施形態は、少なくとも先端部がベース部の側縁を越えて外側にはみ出された被さり部を有する仕切り部材に関する。
図１４は、第２実施形態の仕切り部材の斜視図であり、図１５は、その正面図である。
図１４及び図１５において、仕切り部材１は、ベース部２と、ベース部２から上方に立ち上げられた起立壁部３と、継ぎ目５の始端５１を覆う被さり部４と、を有する。
【００４１】
本実施形態のベース部２の上面２ａは、ベース部２の下面と略平行な平坦面と、幅方向左側及び右側に向かうに従って下方に傾斜した傾斜面と、から構成されている。詳しくは、ベース部２の上面２ａのうち、幅方向略中間部分は、ベース部２の下面と略平行な平滑な平坦面とされており、その平坦面の幅方向両側部分は、傾斜面とされている。この傾斜面は、幅方向左側及び右側に向かうに従ってそれぞれ下方に傾斜している。傾斜面は、正面視において直線状でもよいが、図示例では、少し下方に湾曲した凹湾曲状に形成されている。前記凹湾曲状は、下方に膨らんだ円弧状を意味する。
なお、本実施形態においては、ベース部２の下面には、切り欠き部が形成されていない。
ベース部２には、起立壁部３を保持するための保持部２１が設けられおり、その保持部２１は、上記［第１実施形態］で説明したものと同様である。
【００４２】
起立壁部３は、上記［第１実施形態］で説明したように、板部３２と被保持部３１とを有する。
起立壁部３には、左右一対の被さり部４が設けられている。好ましくは、左側の被さり部４は、起立壁部３の板部３２の左側の側壁外面３２ａから一体的に突設されており、右側の被さり部４は、起立壁部３の板部３２の右側の側壁外面３２ａから一体的に突設されている。
本実施形態では、被さり部４は、継ぎ目５の始端５１から上方に離れた箇所に形成されている。左側の被さり部４は、ベース部２の幅方向左側に延びている。左側の被さり部４の上面及び下面は、全体的に左側に向かうに従って下方に傾斜した傾斜面とされており、左側の被さり部４の先端部４１は、ベース部２の左側の側縁２ｆを越えて外側に延出されている。右側の被さり部４の上面及び下面は、全体的に左側に向かうに従って下方に傾斜した傾斜面とされており、右側の被さり部４の先端部４１は、ベース部２の右側の側縁２ｆを越えて外側に延出されている。なお、図示例では、各被さり部４，４の上面は、正面視において、下方に湾曲した凹湾曲状に形成されているが、直線状に形成されていてもよく、或いは、前記凹湾曲状とは反対に上方に湾曲した凸湾曲状に形成されていてもよい（図示せず）。また、各被さり部４，４の下面は、左側の側縁２ｆ及び右側の側縁２ｆから離れているが、各被さり部４，４の下面が左側の側縁２ｆ及びその近傍部上並びに右側の側縁２ｆ及びその近傍部上に接するように各被さり部４，４が形成されていてもよい（図示せず）。このように被さり部４の一部分がベース部２に当接することにより、上記第１実施形態と同様に、被さり部４が起立壁部３の支えとして機能する。
各被さり部４，４は、上記第１実施形態と同様に、先端部４１に向かう従って薄肉状に形成されている。
【００４３】
図１６は、本実施形態の仕切り部材を床面に施工した床面仕切り構造を示す。なお、本実施形態の床面仕切り構造の全体的な斜視図及び側面図は、図１０及び図１１と同様であるので省略する。
図１６において、床面仕切り構造９は、床面９１と、パーティション９２と、床面９１とパーティション９２の間隙に介在され且つ床面９１上に固定された本実施形態の仕切り部材１と、を有する。
本実施形態においては、仕切り部材１の各被さり部４，４が床シート９５の側縁とベース部２の側縁２ｆとの接合部分を越え、各被さり部４，４の先端部４１が、床シート９５の上面に接している。このような床面仕切り構造９は、床シート９５の側部が被さり部４によって覆われるので、美麗な外観を有する。
かかる仕切り部材１も継ぎ目５の始端５１が被さり部４にて覆われているので、継ぎ目５内に異物が進入することを抑制できる。
また、床シート９５の側縁とベース部２の側縁２ｆとの接合部分は、施工不良などで隙間が生じることがある。この点、本実施形態の仕切り部材１を用いると、図１６に示すように、床シート９５の側縁とベース部２の側縁２ｆとの接合部分を被さり部４で覆うことができるので、前記接合部分の劣化を抑制でき、さらに、接合部分に隙間が生じた場合でもそこに水などの異物が進入することを抑制できる。また、被さり部４が前記接合部分及び継ぎ目５を覆っているので、被さり部４は必然的に大面積となり、床面仕切り構造９の美観が向上する上、清掃性にも優れている。
【００４４】
［第３実施形態］
第３実施形態は、起立壁部が、ベース部の上方に立ち上げられた下壁部と、下壁部の上方に立ち上げられた上壁部と、を有し、上壁部が下壁部との間に継ぎ目を有して下壁部に取り付けられている仕切り部材に関する。
また、本実施形態では、被さり部が上下方向に延びている。
図１７は、第３実施形態の仕切り部材の斜視図であり、図１８は、その正面図であり、図１９は、起立壁部の取り付け部分を拡大した正面図であり、図２０は、上壁部を下壁部から取り外した状態における上壁部の被保持部と下壁部の保持部を拡大した正面図である。
図１７乃至図１９において、仕切り部材１は、ベース部２と、ベース部２から上方に立ち上げられた起立壁部３と、継ぎ目５の始端５１を覆う被さり部４と、を有する。
本実施形態では、起立壁部３は、上下２つの部分に分割された、上壁部３４及び下壁部３５を有する。
【００４５】
本実施形態のベース部２の上面２ａは、ベース部２の下面と略平行な平坦面とされている。後述するように下壁部３５が一体的に連結されていることを除いて、ベース部２は、上記各実施形態と同様である。
ベース部２の幅方向中央部には、起立壁部３を構成する下壁部３５が一体的に形成されている。この下壁部３５は、ベース部２の上面２ａから上方に突出されている。この下壁部３５は、奥行き方向全体に亘って形成されており、その下壁部３５の上方に保持部３６が設けられている。
この保持部３６は、上記各実施形態のベース部２に設けられた保持部２１と同様に、奥行き方向に延びる長状の凹部からなる。その凹部（保持部３６）は、図２０に示すように、正面視において、入口部３６１と、前記入口部３６１に連通した係合溝部３６２と、を有し、入口部３６１の幅が係合溝部３６２の幅よりも小さく形成されている。
本実施形態では、前記凹部を画成する壁内面が、正面視において、弧状に形成されている。具体的には、下壁部３５の上方の内部には、下壁部３５の側面に連続する左右一対の上端部３５ａ，３５ａと、この上端部３５ａに連続し且つ部分的に左右方向に膨らむ部分を有する弧状壁内面３５ｂと、が形成されている。前記一対の上端部３５ａ，３５ａの間の空間が、前記入口部３６１であり、弧状壁内面３５ｂで囲われた空間が、前記係合溝部３６２である。
【００４６】
図１７乃至図１９において、起立壁部３は、前記下壁部３５と、前記下壁部３５の上方に立ち上げられた上壁部３４と、を有し、上壁部３４は、下壁部３５に着脱可能に取り付けられている。上壁部３４が下壁部３５に取り付けられた状態において、上壁部３４と下壁部３５との間に継ぎ目５が生じている。
上壁部３４は、全体的に板状であり、主として起立壁部３の板部３２を構成している。上壁部３４の下方には、前記下壁部３５の保持部３６に係止される被保持部３７が設けられている。この被保持部３７は、上記各実施形態の起立壁部３に設けられた被保持部３１と同様に、奥行き方向に延びる長状の突部からなる。前記突部（被保持部３７）は、図２０に示すように、正面視において、前記入口部３６１と略同幅又はそれよりも少し幅狭の首部３７１と、前記係合溝部３６２と略同幅又はそれよりも少し幅狭の肥大部３７２と、を有し、首部３７１の幅が肥大部３７２の幅よりも小さく形成されている。前記突部（被保持部３７）の外面は、正面視において弧状に形成されており、上壁部３４を下壁部３５に取り付けた状態において、突部の外面は、前記凹部を画成する壁内面に略接する（図１９参照）。
【００４７】
また、起立壁部３には、左右一対の被さり部４が設けられている。この被さり部４は、上壁部３４に設けられている。好ましくは、左側の被さり部４は、上壁部３４の左側の側壁外面３２ａから一体的に突設されており、右側の被さり部４は、上壁部３４の右側の側壁外面３２ａから一体的に突設されている。例えば、各被さり部４，４は、図１９に示すように、継ぎ目５の始端５１の直上に被さり部４の下面が位置するように形成されている。
本実施形態では、各被さり部４，４は、上壁部３４から下方向に延設されている。上壁部３４を下壁部３５に取り付けた状態において、各被さり部４，４は、下壁部３５の壁外面に接するように延設されている。本実施形態の各被さり部４，４は、継ぎ目５の始端５１を覆いつつ、上壁部３４の突部（被保持部３７）と協働して、下壁部３５の薄肉部分３５１を挟持する。
【００４８】
本実施形態においては、仕切り部材１も、継ぎ目５の始端５１が被さり部４にて覆われているので、継ぎ目５内に水やゴミなどの異物が進入することを抑制できる。
また、被さり部４と上壁部３４の突部とが協働して、下壁部３５の薄肉部分３５１を挟持するので、上壁部３４を下壁部３５に起立させた状態で安定的に取り付けることができ、ベース部２に対して上方に立ち上がった起立壁部３を構成できる。
【００４９】
［その他の実施形態］
上記各実施形態では、ベース部２の保持部２１が凹部で且つ起立壁部３の被保持部３１が突部である場合を例示したが、これに限定されず、例えば、図２１に示すように、ベース部２の保持部２１が突部で且つ起立壁部３の被保持部３１が凹部であってもよい。この場合、継ぎ目５の始端５１が下向きに位置するので、始端５１から水が浸入することを抑制することができる。
この場合でも、継ぎ目５の始端５１を覆うように被さり部４が設けられる。なお、図示例では、継ぎ目５の始端５１が側面視においてベース部２の奥行き方向に延在されるようにベース部２の突部（保持部２１）と起立壁部３の凹部（被保持部３１）が形成されているが、ベース部２の突部と起立壁部３の凹部の形状を適宜変更することにより、継ぎ目５の始端５１を上面視においてベース部２の奥行き方向に延在させることもできる。
【００５０】
さらに、上記各実施形態では、保持部２１及び被保持部３１が、それぞれ長状の凹部及び長状の突部又は長状の突部及び長状の凹部から構成されているが、凹部及び突部は奥行き方向に延びる長状に限られず、スポット的な凹部及び突部であってもよい。
また、上記各実施形態では、ベース部２の保持部２１と起立壁部３の被保持部３１は凹凸嵌合によって係止されるが、凹凸嵌合に限られない。
さらに、上記各実施形態では、起立壁部３の板部３２に溝部６が形成され、起立壁部３の高さ調整が行えるようになっているが、起立壁部３の板部３２に溝部６が形成されていなくてもよい。また、高さ調整できないような起立壁部３であってもよい。
なお、本発明は、様々な実施形態から選ばれる２以上の実施形態を適宜組み合わせてもよく、或いは、様々な実施形態から選ばれる１つ又は２つ以上の構成を、それ以外の実施形態に置換してもよい。
【符号の説明】
【００５１】
１  仕切り部材
２  ベース部
３  起立壁部
３２ａ  起立壁部の側壁外面
３４  上壁部
３５  下壁部
４  被さり部
４１  被さり部の先端部
５  継ぎ目
５１  継ぎ目の始端
９  床面仕切り構造
９１  床面
９２  パーティション
【図１】
2018062746.tif 000003
【図２】
2018062746.tif 000004
【図３】
2018062746.tif 000005
【図４】
2018062746.tif 000006
【図５】
2018062746.tif 000007
【図６】
2018062746.tif 000008
【図７】
2018062746.tif 000009
【図８】
2018062746.tif 000010
【図９】
2018062746.tif 000011
【図１０】
2018062746.tif 000012
【図１１】
2018062746.tif 000013
【図１２】
2018062746.tif 000014
【図１３】
2018062746.tif 000015
【図１４】
2018062746.tif 000016
【図１５】
2018062746.tif 000017
【図１６】
2018062746.tif 000018
【図１７】
2018062746.tif 000019
【図１８】
2018062746.tif 000020
【図１９】
2018062746.tif 000021
【図２０】
2018062746.tif 000022
【図２１】
2018062746.tif 000023